(57)【特許請求の範囲】
【請求項１】
構造内に少なくとも２つの向かい合った開口側部を備えた開口部を覆うための日除けアセンブリであって、前記開口部を完全に覆う位置と、前記開口部を少なくとも部分的に開放する位置と、の間で移動可能な可撓性日除け部材を具備した日除けアセンブリにおいて、
前記可撓性日除け部材は２つの日除け部材部品から形成されており、各々の該日除け部材部品は前記向かい合った開口側部の１つに接続された第１端部と、第２端部と、を具備し、
両方の前記日除け部材部品の第２端部は細長い解除可能な接続デバイスをともに形成し、前記第２端部に沿った動作が前記第２端部を接続もしくは接続解除する可動式操作部材をさらに具備し、
前記向かい合った開口側部には、前記開口側部の全長に沿って延びた格納デバイスが設けられ、前記操作部材が前記第２端部を接続解除する方向に移動したときに、前記格納デバイスは前記日除け部材部品を漸次受け入れて格納し、前記操作部材が前記第２端部を接続するための方向に移動したときに、前記格納デバイスは前記日除け部材部品を漸次供給し、
各々の前記格納デバイスには前記格納デバイスに沿って移動可能な圧縮部材が設けられ、前記操作部材が前記第２端部を接続解除するための方向に移動したときに、前記圧縮部材は前記格納デバイス内に個々の前記日除け部材部品の１つを漸次押し込み、これによって移動するような方式において前記圧縮部材は前記操作部材に接続されていることを特徴とする日除けアセンブリ。
【請求項２】
前記細長い解除可能な接続デバイスはジッパータイプであり、前記可動式操作部材はジッパースライダを形成していることを特徴とする請求項１に記載の日除けアセンブリ。
【請求項３】
前記細長い解除可能な接続デバイスはバッグスライドクロージャタイプであり、前記可動式操作部材はバッグスライドクロージャスライダを形成していることを特徴とする請求項１に記載の日除けアセンブリ。
【請求項４】
各々の前記圧縮部材は引張力および圧縮力を伝達可能なロッドによって前記操作部材に接続されており、各々の前記ロッドは２つの反対側に位置した端部を備え、それらの端部は前記操作部材と個々の前記圧縮部材とに回転可能に個々に接続されており、各々の前記ロッドは長さが変化することを特徴とする請求項１〜３のいずれか一項に記載の日除けアセンブリ。
【請求項５】
少なくとも１つのロッドと、圧縮部材と、操作部材と、は直線位置と傾斜位置との間において前記ロッドの回転動作を制限するための制限手段を具備し、前記直線位置では、両方の前記ロッドが前記操作部材の移動方向に略直交して延びており、且つ前記圧縮部材と操作部材との両方は互いに概略一直線上に位置しており、前記傾斜位置では、前記操作部材が、前記日除け部材部品の第２端部を接続解除するために移動する方向から見て、前記ロッドは傾斜しており、前記操作部材が前記圧縮部材の前方に位置していることを特徴とする請求項４に記載の日除けアセンブリ。
【請求項６】
各々の前記ロッドは一方が他方の内部に受容された少なくとも２つのロッド部品を具備し、望遠鏡の態様によって長さを変化することを特徴とする請求項４または５に記載の日除けアセンブリ。
【請求項７】
前記圧縮部材と操作部材とは互いに固定された相対位置において相互接続されていることを特徴とする請求項１〜３のいずれか一項に記載の日除けアセンブリ。
【請求項８】
カバー部材がさらに設けられ、前記可撓性日除け部材が前記開口部を完全に覆う位置および前記可撓性日除け部材が前記開口部を開放する位置において、前記カバー部材は前記圧縮部材と操作部材とを少なくとも部分的に覆うことを特徴とする請求項１〜７のいずれか一項に記載の日除けアセンブリ。
【請求項９】
前記カバー部材は、例えば長方形または三角形の２つのプレート形状の部材を具備していることを特徴とする請求項８に記載の日除けアセンブリ。
【請求項１０】
一方の前記プレート形状の部材は、前記開口部を完全にカバーする前記可撓性日除け部材が固定位置を取る位置において、前記圧縮部材と操作部材とをカバーするように意図されており、一方で他方の前記プレート形状の部材は、前記圧縮部材と操作部材とともに移動することを特徴とする請求項９に記載の日除けアセンブリ。
【請求項１１】
前記格納デバイスと圧縮部材とには、前記格納デバイスと個々の圧縮部材との間の相対移動を画定するための、協働するガイド突起および凹部が設けられていることを特徴とする請求項１〜１０のいずれか一項に記載の日除けアセンブリ。
【請求項１２】
各々の前記格納デバイスは、底部によって接続された２つの脚部によって形成された略Ｕ字形状断面を備えたプロファイル部材を具備しており、２つの前記脚部は前記格納デバイスの反対側に面した開放側を形成し、可撓性の保持手段が前記開放側近接して設けられていることを特徴とする請求項１〜１１のいずれか一項に記載の日除けアセンブリ。
【請求項１３】
前記可撓性の保持手段は、前記プロファイル部材の概略全長に沿って少なくとも一方の前記脚部から反対側の脚部に向かって延びた可撓性のブラシヘアの配列を具備していることを特徴とする請求項１２に記載の日除けアセンブリ。
【請求項１４】
前記可撓性の保持手段は、前記プロファイル部材の概略全長に沿って少なくとも一方の前記脚部から反対側の脚部に向かって延びた可撓性のリップを具備していることを特徴とする請求項１２に記載の日除けアセンブリ。
【請求項１５】
前記可撓性の保持部材は、一体となって移動するために前記圧縮部材に接続された第１端部を備えた可撓性のストリップを具備していることを特徴とする請求項１２に記載の日除けアセンブリ。
【請求項１６】
前記可撓性のストリップは反対側の第２端部を備え、該第２端部は巻き取り機構に巻き取り可能、もしくは巻き取り機構から巻き出し可能であることを特徴とする請求項１５に記載の日除けアセンブリ。
【請求項１７】
前記可撓性のストリップは反対側の第２端部を備え、該第２端部は逆回転ローラの周りにガイドされて、前記プロファイル部材内に戻ることを特徴とする請求項１５に記載の日除けアセンブリ。
【請求項１８】
前記日除け部材部品の第１端部は個々のプロファイル部材の底部に接続されていることを特徴とする請求項１２〜１７のいずれか一項に記載の日除けアセンブリ。
【請求項１９】
前記細長い解除可能な接続デバイスは、直線に沿って延びた前記日除け部材の第２端部によって形成されていることを特徴とする請求項１〜１８のいずれか一項に記載の日除けアセンブリ。
【請求項２０】
前記細長い解除可能な接続デバイスは、曲線に沿って延びた前記日除け部材の第２端部によって形成されていることを特徴とする請求項１〜１８のいずれか一項に記載の日除けアセンブリ。
【請求項２１】
前記操作部材と圧縮部材とは手動で移動されるように形成されていることを特徴とする請求項１〜２０のいずれか一項に記載の日除けアセンブリ。
【請求項２２】
前記操作部材と圧縮部材とを移動するための駆動部材をさらに具備していることを特徴とする請求項１〜２１のいずれか一項に記載の日除けアセンブリ。
【請求項２３】
前記駆動部材は前記操作部材および／または圧縮部材に係合し、例えば電気モータのようなモータ、シリンダ−ピストンアセンブリ、伸縮アーム、およびリンク装置によって駆動される駆動ケーブルの１つを具備していることを特徴とする請求項２２に記載の日除けアセンブリ。
【請求項２４】
前記構造は自動車のためのオープンルーフ構造であり、前記開口部は前記自動車の静止ルーフ部に設けられたルーフ開口部であり、前記可撓性の日除け部材は可撓性のサンスクリーンであることを特徴とする請求項１〜２３のいずれか一項に記載の日除けアセンブリ。
【請求項２５】
自動車の静止ルーフ部のルーフ開口部と、該ルーフ開口部と協働するサンスクリーンアセンブリと、を具備し、該サンスクリーンアセンブリは請求項１〜２４のいずれか一項に記載の日除けアセンブリを具備していることを特徴とするオープンルーフ構造。
【発明の詳細な説明】
【技術分野】
【０００１】
本発明は、第一に、構造内に少なくとも２つの向かい合った開口側部を備えた開口部を覆うための日除けアセンブリに関し、このアセンブリは開口部を完全に覆う位置と開口部を少なくとも部分的に開放する位置との間で移動可能な可撓性の日除け部材を具備している。
【背景技術】
【０００２】
そのようなタイプの（ロロ（rollo）としても参照される）既知の日除けアセンブリは巻き取りチューブを具備し、このチューブは静止マウントに回転可能に組み付けられ、可撓性の日除け部材が巻き取られまたは巻き出される。そのようなタイプの日除けアセンブリにおいて、開口部の２つの向かい合った開口側部には、日除け部材の長手側部エッジをガイドするために結合されたガイドが設けられている。
【発明の概要】
【発明が解決しようとする課題】
【０００３】
代替の日除けアセンブリを提供することが、本発明の目的である。
【課題を解決するための手段】
【０００４】
したがって、本発明によれば、日除けアセンブリが示されており、このアセンブリは、可撓性日除け部材は２つの日除け部材部品から形成されており、各々の日除け部材部品は向かい合った開口側部の１つに接続された第１端部と、第２端部と、を具備し、両方の日除け部材部品の第２端部は細長い解除可能な接続デバイスをともに形成し、第２端部に沿った動作が第２端部を接続もしくは接続解除する可動式操作部材をさらに具備し、向かい合った開口側部には、開口側部の全長に沿って延びた格納デバイスが設けられ、操作部材が第２端部を接続解除するための方向に移動したときに、格納デバイスは日除け部材部品を漸次受け入れて格納し、操作部材が第２端部を接続するための方向に移動したときに、格納デバイスは日除け部材部品を漸次供給し、各々の格納デバイスには格納デバイスに沿って移動可能な圧縮部材が設けられ、操作部材が第２端部を接続解除するための方向に移動したときに、圧縮部材は格納デバイス内に個々の日除け部材部品の１つを漸次押し込み、これによって移動するような方式において圧縮部材は操作部材に接続されていることを特徴としている。
【０００５】
本発明による日除けアセンブリは巻き取りチューブを具備していない。ここでは、日除け部材は２つの日除け部材部品を備えた２部品の日除け部材である。日除け部材が（第１方向における操作部材の適切な移動によって）開口部を開放する位置に向かって移動された場合、日除け部材部品は第２端部において互いから取り外され、互いに分離し、（圧縮部材によって）個々の格納デバイス内に移動する。日除け部材が（操作部材の適切な反対向きの移動によって）開口部を覆う位置に向かって移動された場合、第２端部を再度接続するように互いに向かって少なくとも部分的に格納デバイスの外側に移動する。
【０００６】
開口部は平行な開口側部を備えた形状（例えば長方形）とすることが可能であるが、異なった形状（例えば円形、楕円形、または三角形）とすることも考えられることを記しておく。
【０００７】
本発明による日除けアセンブリの一実施形態において、細長い解除可能な接続デバイスはジッパータイプであり、可動式操作部材はジッパースライダを形成している。それとは異なり、細長い解除可能な接続デバイスはバッグスライドクロージャタイプであり、可動式操作部材はバッグスライドクロージャスライダを形成している。しかしながら、他のタイプの細長い解除可能な接続デバイスが本発明において実行されるために設けられることも考えられることを記しておく。
【０００８】
別の実施形態において、各々の圧縮部材は引張力および圧縮力を伝達可能なロッドによって操作部材に接続されており、各々のロッドは２つの反対側に位置した端部を備え、それらの端部は操作部材と個々の圧縮部材とに回転可能に個々に接続されており、各々のロッドは長さが変化する。そのようなロッド（または類似の細長い部材）は、操作部材が操作された場合に、圧縮部材を移動させ、それによって圧縮部材は、自動的に想定された機能（特に日除け部材を個々の格納部材内に漸次押し込む機能）にしたがって分離した駆動部材を必要とすることなく自動的に作動する。ロッド（したがって圧縮部材と操作部材との互いに対する相対位置）は、日除け部材を開閉するために最も好適な位置を想定することが可能である。長さの変化は、開口部が平行な開口側部を備えていない場合に有利にもなり得る。
【０００９】
少なくとも１つのロッドと、圧縮部材と、操作部材と、は直線位置と傾斜位置との間においてロッドの回転動作を制限するための制限手段を具備し、直線位置では、両方のロッドが操作部材の移動方向に略直交して延びており、且つ圧縮部材と操作部材との両方は互いに概略一直線上に位置しており、傾斜位置では、操作部材が、日除け部材部品の第２端部を接続解除するために移動する方向から見て、ロッドは傾斜しており、操作部材が圧縮部材の前方に位置ことが可能である。いわゆる直線位置は、日除け部材が開口部を完全に覆った位置に操作部材が移動したときに到達し、この位置においては、ロッドは最小長さとなる。傾斜位置は、少なくとも操作部材が反対方向に移動した場合に生じ、したがって、ロッドは最大長さとなる位置である。
【００１０】
一実施形態において、各々のロッドは一方が他方の内部に受容された少なくとも２つのロッド部品を具備し、望遠鏡の態様によって長さを変化する。しかし、ロッドの長さを変化させるために、（例えばロッドが関節でつながったような）他の態様も考えられる。
【００１１】
圧縮部材と操作部材とが互いに固定された相対位置において相互接続されることも可能である。
【００１２】
本発明による日除けアセンブリの別の実施形態において、アセンブリにはカバー部材がさらに設けられ、可撓性日除け部材が開口部を完全に覆う位置および可撓性日除け部材が開口部を開放する位置において、カバー部材は圧縮部材と操作部材とを少なくとも部分的に覆う。そのようなカバー部材は、圧縮部材と操作部材とに隣接した日除け部材のセクションも覆い、したがって、アセンブリに格好の良い外観を提供している。
【００１３】
そして、カバー部材は、例えば長方形または三角形の２つのプレート形状の部材を具備することが可能である。
【００１４】
さらなる実施形態において、このプレート形状の部材は、開口部を完全にカバーする可撓性日除け部材が固定位置を取る位置において、圧縮部材と操作部材とをカバーするように意図されており、一方で他方のプレート形状の部材は、圧縮部材と操作部材とともに移動する。両方のプレート形状の部材は相補的な形状であってもよく、両方のプレート形状の部材は日除けアセンブリの開位置において互いに接近して位置してもよい。
【００１５】
本発明による日除けアセンブリのさらに別の実施形態によれば、格納デバイスと圧縮部材とには、格納デバイスと個々の圧縮デバイスとの間の相対移動を画定するための、協働するガイド突起および凹部が設けられており、格納デバイス内に日除け部材を押し込むために要求されるそれらの部品の間の相対位置は、自動的に維持されている。
【００１６】
さらに、各々の格納デバイスは、底部によって接続された２つの脚部によって形成された略Ｕ字形状断面を備えたプロファイル部材を具備しており、２つの脚部は格納デバイスの反対側に面した開放側を形成し、可撓性の保持手段が開放側近接して設けられている。可撓性の保持手段は、プロファイル部材内に形成されたキャビティへの日除け部材部品の導入およびキャビティからの日除け部材部品の除去を可能にしており、一方で日除け部材部品をこのキャビティ内に追加の手段を必要とすることなく維持することも可能にしている。
【００１７】
可撓性の保持手段は、プロファイル部材の概略全長に沿って少なくとも一方の脚部から反対側の脚部に向かって延びた可撓性のブラシヘアの配列を具備している。しかし、それとは異なって、可撓性の保持手段は、プロファイル部材の概略全長に沿って少なくとも一方の脚部から反対側の脚部に向かって延びた可撓性のリップを具備していてもよい。
【００１８】
さらに別の実施形態において、可撓性の保持部材は、一体となって移動するために圧縮部材に接続された第１端部を備えた可撓性のストリップを具備している。圧縮部材が日除け部材部品をプロファイル部材内に押し込むために移動したとき、可撓性のストリップは圧縮部材を自動的に追従し、日除け部材部品をプロファイル部材内に維持するために圧縮部材の後方のプロファイル部材の開放側を閉鎖する。
【００１９】
可撓性のストリップは反対側の第２端部を備え、第２端部は巻き取り機構に巻き取り可能、もしくは巻き取り機構から巻き出し可能であるか、または可撓性のストリップは反対側の第２端部を備え、第２端部は逆回転ローラの周りにガイドされて、プロファイル部材内（例えば底部の下に／底部に隣接して形成されたチャネル内）に戻る。
【００２０】
その代わりに、そのようなプロファイル部材は格納デバイスとして設けられ、日除け部材部品の第１端部は個々のプロファイル部材の底部に接続されることが可能である。
【００２１】
本発明による日除けアセンブリの最良の実施形態において、細長い解除可能な接続デバイスは、直線に沿って延びた日除け部材の第２端部によって形成されることが期待されている。結果的に、対称的な構造が得られ、審美的観点からも利点となり得る。しかしながら、このことは、日除け部材部品の第２端部によって形成された細長い解除可能な接続デバイスが、曲線に沿って延びる可能性を妨げるものではないことは注目すべきである。
【００２２】
本発明による日除けアセンブリの基本的な実施形態において、操作部材と圧縮部材とは手動で移動されるように形成されている。しかしながら、より洗練された実施形態においては、日除けアセンブリは操作部材と圧縮部材とを移動するための駆動部材をさらに含むことも可能である。
【００２３】
例えば、駆動部材は操作部材および／または圧縮部材と係合してもよく、（例えば電気モータのような）モータ、シリンダ−ピストンアセンブリ、伸縮アーム、およびリンク装置によって駆動される駆動ケーブルの１つを具備していてもよい。
【００２４】
本発明による日除けアセンブリの特別な実施形態において、構造は自動車のためのオープンルーフ構造であり、開口部は自動車の静止ルーフ部に設けられたルーフ開口部であり、可撓性の日除け部材は可撓性のサンスクリーンである。
【００２５】
本発明の第２の側面は、自動車の静止ルーフ部のルーフ開口部と、ルーフ開口部と協働するサンスクリーンアセンブリと、を具備し、サンスクリーンアセンブリは本発明による日除けアセンブリを具備しているオープンルーフ構造に関する。
【００２６】
これ以降、本発明は添付図を参照しながら説明されている。
【図面の簡単な説明】
【００２７】
【図１】オープンルーフ構造を具備した自動車を示した図である。
【図２】図１によるオープンルーフ構造において使用するための、本発明による日除けアセンブリの実施形態の一部を示した図である。
【図３】図２のＩＩＩ−ＩＩＩに沿った横断面を拡大した図である。
【図４】図３のＩＶの視点におけるロッドと圧縮部材との間の接続を示した図である。
【図５ａ】本発明による日除けアセンブリの動作の間の４つの連続したステージを示した図である。
【図５ｂ】本発明による日除けアセンブリの動作の間の４つの連続したステージを示した図である。
【図５ｃ】本発明による日除けアセンブリの動作の間の４つの連続したステージを示した図である。
【図５ｄ】本発明による日除けアセンブリの動作の間の４つの連続したステージを示した図である。
【図６】図３に対応した視点における保持手段の代替の実施形態を示した図である。
【図７】図３に対応した視点における保持手段の代替の実施形態を示した図である。
【図８】図２に対応した視点における保持手段の代替の実施形態を示した図である。
【図９】図２に対応した視点における保持手段の代替の実施形態を示した図である。
【図１０】図２に対応した視点における駆動手段の代替の実施形態を示した図である。
【図１１】図２に対応した視点における駆動手段の代替の実施形態を示した図である。
【図１２】日除けアセンブリの別の実施形態の一部を示した図である。
【図１３】日除けアセンブリのさらに別の実施形態を示した図である。
【発明を実施するための形態】
【００２８】
図１を参照すると、静止ルーフ部２と、この静止ルーフ部に設けられたルーフ開口部３と、を具備した自動車１が示されている。ルーフ開口部３は可動パネル４によって開閉されてもよく、それ自体知られている。ルーフ開口部３の図示された実施形態は長方形であり、平行に対向した２つの長手側端部５を具備している。しかしながら、ルーフ開口部は、例えば楕円形、円形または三角形等の他の形状でもよいことを記しておく。
【００２９】
前記ルーフ開口部３と協働し且つ本発明による日除けアセンブリを具備したサンスクリーンアセンブリは、図１には示されていないが、残りの図を参照して説明されている。
【００３０】
図２は、略長方形のルーフ開口部３を影にするための日除けアセンブリ一部が図示された、概略的な斜視図である。一般的に、そのような日除けアセンブリは、パネルの移動と干渉しないように可動パネル４の下の高さに配置されており、似たような平行に対向した開口側部６を具備し、それらはルーフ開口部３の側端部５の一部であるか、または側端部５に近接して配置されている。日除けアセンブリは、前記開口部３を完全に隠す位置と前記開口部３を開放する位置との間で移動可能な可撓性日除け部材（または可撓性サンスクリーン）を具備している。可撓性日除け部材は、（例えば透明もしくは非透明、異なった色、厚さもしくは薄さ等の）異なった種類の布を具備していてもよい。
【００３１】
可撓性日除け部材は２つの日除け部材部品７および８によって形成されており、それらの各々は（図３に最もよく見られているように）平行に対向した１つの開口側部に接続された第１端部９と、反対側の第２端部１０と、を備えている。両方の日除け部材部品７および８の第２端部１０は細長い解除可能な接続デバイス１１のタイプの部分をともに形成し、前記第２端部１０に沿った動作によって第２端部を接続または離脱する可動性操作部材１２をさらに具備している。
【００３２】
細長い解除可能な接続デバイス１１は、可動性操作部品１２がジッパースライダを形成したジッパーのタイプであってもよい。その代わりに、細長い解除可能な接続デバイス１１は、可動性操作部品１２がバッグスライドクロージャスライダ（bag slide closure slider）を形成したバッグスライドクロージャのタイプであってもよい。しかしながら、類似のタイプの他の連続的な閉鎖部材が応用されてもよいことを記しておく。
【００３３】
図２に示されたように、日除け部材部品７，８の第２端部１０によって形成された細長い解除可能な接続デバイス１１は、直線的に且つ開口部３の対向した開口側部６に平行に中心に沿って延びている。しかしながら、その代わりとして、破線２４によって概略的に示されたように、および／または非中心となるように、接続デバイスは曲線に沿って延びてもよい。
【００３４】
操作部材１２は、ジッパースライダに関して一般的に知られているように、手動で移動するように考案されてもよい。しかしながら、モータ、たとえば電気モータ２６によって駆動される駆動ケーブル２５のような、駆動部材が操作部材１２の移動のために設けられることも可能である。図１０および１１を参照して、他の駆動部材が後に説明される。
【００３５】
この対向に平行な開口側部６にはプロアイル部材１３が設けられており、この部材は開口側部の全長に沿って延びた格納デバイスを形成しており、操作部材１２が日除け部材部品の第２端部１０を接続解除するための方向に移動する場合に日除け部材部品７，８を漸次受容して収容し、操作部材１２が第２端部１０を接続するための方向に移動する場合に日除け部材部品７，８を漸次供給する。このことは図５を参照して以下により明確に示されている。
【００３６】
各格納デバイスには圧縮部材１４が設けられており、この部材は個々のプロファイル部材１３に沿って移動可能であり、操作部材１２が第２端部１０を接続解除するための方向に移動した場合に個々の１つの日除け部材部品７，８を漸次圧縮する。この圧縮部材１４は操作部材１２に接続されており、これによって後に記載された規則に沿って移動される。しかしながら、「これによって移動される」との記載は、圧縮部材１４と操作部材１２とが常に同調して移動することを意味する必要は無いということをここで強調しておく。さらに、駆動部材が操作部材１２の代わりに圧縮部材１４に係合されてもよいことを記しておく。
【００３７】
図３を参照すると、図２のＩＩＩ−ＩＩＩに沿ったプロファイル部材１３の横断面図が示されている。このプロファイル部材１３は、底部１７によって接続された２つの脚部１５，１６によって形成された、略Ｕ字状の断面を備えている。
【００３８】
プロファイル部材１３は、２つの脚部１５，１６が（日除け部材部品８を受容することを目的とした）反対側のプロファイル部材に面した開放側１８を形成するように向けられている。日除け部材７の第１端部９が個々のプロファイル部材１３の底部１７に（例えばシール、ガイド、または機械的接続手段等による任意の適切な方法によって）接続されていることを図３は明確に示している。
【００３９】
プロファイル部材の略全長に沿ったプロファイル部材の各脚部１５，１６は、反対側の脚部に向かって延びた可撓性ブラシヘア１９の配列を支持している。これらのブラシヘア１９は障壁またはカーテンを形成する保持手段を形成しており、このブラシヘアは個々の日除け部材部品をプロファイル部材１３内に導入またはプロファイル部材１３から排出する場合に個々の日除け部材部品７，８の通過が可能である程度に十分に柔軟であり、一方で、望むこと無くプロファイル部材から日除け部材が出て行くことを防止する程度に十分に強度がある。他のタイプの保持手段は、図６〜９を参照して後に示され且つ記載されている。
【００４０】
プロファイル部材１３と圧縮部材１４とには、両方の部品の間の相対移動を確定するための協働ガイド突起および凹部が設けられている。図３に示された実施形態において、圧縮部材１４は突出上部２０と下端部２１とを具備し、それらはプロファイル部材１３の脚部１５，１６に設けられた凹部２２，２３に受け入れられて、圧縮部材１４がプロファイル部材１３に沿って長手方向にスライドすることを可能にしている。
【００４１】
特に図２〜４を参照すると、各圧縮部材はロッド２７によって操作部材１２に接続されており、張力と圧縮力とを伝達することを可能にされていることが図示されている。各ロッド２７は、操作部材１２および個々の圧縮部材１４にそれぞれ回転可能に接続された２つの対向した端部を備えている。図示された実施形態において、各ロッド２７は、ロッド２７の長さを変化させるために、望遠鏡の態様で一方が他方の内部に受け入れられた２つのロッド部品２８，２９を備えている。以下に示されるように、そのような長さの変化は各ロッドに作用する操作力の影響下において自動的に発生する。
【００４２】
図３のＩＶの視点における図４は、圧縮部材１４がロッド２７の回転動作を制限するための制限手段または停止部３０，３１を具備していることを示している。ロッドは、（図４のロッド部品２９´による破線で示された位置および図５ａに示されたような）直線位置と、（図４のロッド部品２９による実線で示された位置および図５ｂ〜ｄに示されたような）傾斜位置と、の間において回転動作を制限されている。直線位置では、両方のロッド２７が開口部３の平行に対向した開口側部６（またはプロファイル部材１３）と略直交して延び且つ圧縮部材１４と操作部材１２との両方が互いに概略一直線上に配置されている。傾斜位置では、操作部材１２が日除け部材７，８の第２端部を接続解除するために移動する方向から見て、ロッド２７が傾斜して、操作部材１２が圧縮部材１４の前方に位置している。両方の位置において、停止部３０，３１の１つはロッド部品２９と係合するが、他の等価な制限手段が応用されてもよいことは明らかである。したがって、傾斜位置は、ロッド２７がその長さを増大することが可能な最大量によって決定されているとも考えられる。
【００４３】
日除けアセンブリの操作は図５を参照して記載されている。図５ａは、日除けアセンブリがルーフ開口部３を完全に覆っているか、または閉鎖している位置を示している。ロッド２７は直線の整列された位置にあり、日除け部材部品７，８は日除けアセンブリの全長を越えた第２端部１０において接続されている。この位置において、ロッド２７は最小長さであると仮定される。
【００４４】
日除けアセンブリが開くと、操作部材１２は図５ｂに見られているような下向きの方向に（手動でまたは図２に見られたような駆動部材によって駆動されて）移動する。操作部材１２のこの移動の第１段階の間、圧縮部材１４はその初期位置に留まり、一方でロッド２７は回転し、長さを増大させる。この第１段階の間、第２端部１０´の一部は互いに接続解除されて、日除け部材部品７，８の緊張を緩和させ、圧縮部材１４が操作部材１２とともに移動を開始するときに、これらをプロファイル部材１３内に押し込む機会を提供する。ロッド２７が傾斜位置に到達して最大傾斜（回転角）となったときに、圧縮部材１４は移動を開始する。
【００４５】
図５ｃは、操作部材１２と圧縮部材１４とが日除けアセンブリを部分的に開放するためにある距離だけ移動した位置を示している。圧縮部材１４の後ろ（図５ｃの上）の日除け部材部品７，８の一部は、圧縮部材のおかげで開放側１８（図３）を通じてプロファイル部材１３の内部キャビティ内に押し込まれ、ブラシヘア１９（図３）によってその内部で安全性を維持されている。圧縮部材１４のリードエッジは最も効果的な方法において日除け部材部品７，８を係合およびガイドするために形状を形成されることが可能であることを記しておく。また、例えばロッド２７のような構造の他の部品もプロファイル部材１３内（および／または外）にこの日除け部材部品の正確な動作を補強するためのガイド部材を具備することが可能である。
【００４６】
図５ｄにおいて、操作部材１２、したがって圧縮部材１４は、ルーフ開口部３を完全に開放または開くための端部位置に（ほとんど）到達している。
【００４７】
再度日除けアセンブリを閉鎖するために、図５ｄに示された位置から開始して、操作部材１２は反対方向に移動される。圧縮部材１４は操作部材１２とともに、部分的にロッド２７によって伝達される力のためにおよび部分的に日除け部材部品７，８がプロファイル部材１３の外側に引き出されるために移動し、これによって圧縮部材１４のリードエッジを係合し、一方で移動方向（図５ｃに見られる上向き）における推進力を生成している。
【００４８】
再度図５ｂに示された位置に到達すると、圧縮部材は停止し、図５ａに示されたその終端位置に向かう操作部材のさらなる移動が図５ａの直線位置へとロッドを回転させ（且つ収縮させ）、この位置において日除け部材部品７，８は完全に張り詰め、且つ日除けアセンブリは完全に閉じている。
【００４９】
図６および７は保持手段の代替の実施形態を示しており、図６において、保持手段は上部脚１６に向かって下部脚１５から上に延びた単一の可撓性リップ３２を具備している。ロッド２７は、この実施形態においては、図３に示された実施形態と比較して上昇した位置において圧縮部材１４に取り付けられている。図７において、個々に脚部１５，１６から延びた２つの可撓性リップ３３，３４が示されている。いずれか一方の実施形態において、リップ３２，３３および３４は全体的にプロファイル部材１３の略全長に沿って延びている。
【００５０】
図８は実施形態を示しており、この実施形態では、可撓性保持手段が圧縮部材に沿った移動のために圧縮部材１４に接続された、第１端部３６を備えた可撓性ストリップ３５を具備している。この可撓性ストリップ３５は反対側の第２端部３７を備え、第２端部は（例えば図示されていない巻き取りスプール等の）巻き取り機構に巻き取り可能、または巻き取り機構から巻き出し可能とされてもよい。
【００５１】
図９の実施形態において、可撓性ストリップ３５は反対側の第２端部３７を備え、第２端部は逆転ローラ３８に沿ってガイドされ、プロファイル部材１３内、例えばその隣接した底部１７のガイドチャネル３９内に戻る（２つのプロファイル部材１３に関してのみ図示されているが、他方にも存在する）。圧縮部材１４の動作は、第２ストリップ端部３７をこのガイドチャネル３９内におよびガイドチャネル３９外に移動させる。
【００５２】
図１０は駆動部材のための代替案を示しており、ここでは伸縮自在アーム（またはピストン−シリンダアセンブリ）３９が操作部材１２に係合している。図１１において、リンク装置４０が操作部材１２に係合して設けられている。いずれかの実施形態において、駆動手段は圧縮部材１４とも係合することが可能である。
【００５３】
これまでの実施形態はすべて圧縮部材１４を操作部材１２に接続した回転ロッド２７を使用しており、図１２は代替の実施形態を示しており、一方で、この形態においては、圧縮部材１４と操作部材１２とは単一の部品に一体化されており、互いに相対位置が固定されている。もちろん、この位置は図示されたものと異なっていてもよい（例えば、これらの部品は直線上にあってもよい）。
【００５４】
最後に、図１３はプレート形状のカバー部材４１，４２を示している。カバー部材４１は、日除けアセンブリが開口部を閉鎖したときに、圧縮部材１４と操作部材１２とをカバーするための位置（および日除け部材部品７，８の対応した自由端）にある。カバー部材４２は、日除けアセンブリが開口部を開放する開位置にあるとき、圧縮部材１４と操作部材１２とをカバーするための位置にある。固定されたカバー部材４１の代わりに、操作部材１２および圧縮部材１４とともに移動する（破線で示された）可動式カバー部材４１´が使用されてもよい。さらに、図示されたように、カバー部材４１および４２は相補的な三角形の形状であってもよいが、それらは相補的なまたは相補的でない（例えば長方形として一点差線４１´´で図示された）異なった形状であってもよい。
【００５５】
カバー部材４１には日除け部材部品７，８のためのガイド部材（図示略）が設けられてもよい。
【００５６】
本発明はこれまでに記載された実施形態に限定されるものではなく、添付の請求項によって決定される本発明の範囲内において、広く変化してもよい。例えば、ロッド部品２８，２９はロッド２７の最大長さとなる位置に向けてバネで付勢されることが可能である。
【符号の説明】
【００５７】
１  ・・・自動車、      ２  ・・・静止ルーフ部、      ３  ・・・ルーフ開口部、      ４  ・・・可動パネル、      ５  ・・・長手側端部、      ６  ・・・開口側部、      ７，８  ・・・日除け部材部品、      ９  ・・・第１端部、      １０  ・・・第２端部、      １１  ・・・接続デバイス、      １２  ・・・可動性操作部材、      １３  ・・・プロアイル部材、      １４  ・・・圧縮部材、      １５，１６  ・・・脚部、      １７  ・・・底部、      １８  ・・・開放側、      １９  ・・・可撓性ブラシヘア、      ２０  ・・・突出上部、      ２１  ・・・下端部、      ２２，２３  ・・・凹部、      ２５  ・・・駆動ケーブル、      ２６  ・・・電気モータ、      ２７  ・・・ロッド、      ２８，２９  ・・・ロッド部品、      ３０，３１  ・・・停止部、      ３２，３３，３４  ・・・リップ、      ３５  ・・・可撓性ストリップ、      ３６  ・・・第１端部、      ３７  ・・・第２端部、      ３８  ・・・逆転ローラ、      ３９  ・・・ガイドチャネル、      ４０  ・・・リンク装置、      ４１，４２  ・・・カバー部材
【図１】
0006018772.tif 000002
【図２】
0006018772.tif 000003
【図３】
0006018772.tif 000004
【図４】
0006018772.tif 000005
【図５ａ】
0006018772.tif 000006
【図５ｂ】
0006018772.tif 000007
【図５ｃ】
0006018772.tif 000008
【図５ｄ】
0006018772.tif 000009
【図６】
0006018772.tif 000010
【図７】
0006018772.tif 000011
【図８】
0006018772.tif 000012
【図９】
0006018772.tif 000013
【図１０】
0006018772.tif 000014
【図１１】
0006018772.tif 000015
【図１２】
0006018772.tif 000016
【図１３】
0006018772.tif 000017